(57)【特許請求の範囲】
【請求項１】
既設建物に対応して設置される仮設エレベーターの要部を構成し上記建物の下階に対応する乗場装置、昇降体の案内レール、緩衝器装置及び張り車装置が装着された下部ユニットと、
上記仮設エレベーターの要部を構成し上記建物の中間階に対応する乗場装置及び昇降体の案内レールが装着されて上記下部ユニットの上に載置されて積層され互いに直列に配置される複数の中間部ユニットと、
上記仮設エレベーターの要部を構成し巻上機装置、調速機装置、制御盤、移動ケーブル繰り出し装置、上記建物の上階に対応する乗場装置及び昇降体の案内レールが装着されて最上部の上記中間部ユニットの上に載置される上部ユニットと、
上記下部ユニット、中間部ユニット及び上部ユニットのいずれかに装備されて上記昇降体を構成するかご装置並びにつり合おもり装置と、上記かご装置に設けられた調速機ロープ繰り出し装置と、
上記かご装置及びつり合おもり装置の一方に設けられた主索繰り出し装置と、
上記下部ユニット及び上記中間部ユニットの上端角隅にそれぞれ装着されて上縁が水平方向の外側に広がる斜面を有し、上記下部ユニット、中間部ユニット及び上部ユニットを順次積層するときに、上側のユニットを下側のユニット上に案内する複数の連結子と、
上記中間部ユニットの下端部のうち上記連結子よりも上側となる部位を、既設建物の各階床の下面部に締結する複数の支持腕と、
を備えた仮設エレベーター装置。
【請求項２】
下部ユニット、中間部ユニット及び上部ユニットの三者の既設建物との対向面に配置されて乗場装置の出入口高さよりも高い高さの開口部を設け、上記開口部縁部に設けられて上記開口部に配置された上記乗場装置を上下方向に移動可能に装着する取付金具を備えたことを特徴とする請求項１記載の仮設エレベーター装置。
【請求項３】
制御盤の制御ケーブルの先端に設けられた接続具と、移動ケーブル繰り出し装置に設けられて上記制御ケーブルの接続具に接続される接続具と、上記移動ケーブル繰り出し装置の移動ケーブルの繰り出し先端に設けられた接続具と、かご装置に設けられて上記移動ケーブルの繰り出し先端の接続具に接続される接続具とを備えたことを特徴とする請求項１及び請求項２のいずれか一つに記載の仮設エレベーター装置。
【発明の詳細な説明】
【０００１】
【発明の属する技術分野】
この発明は、エレベーターを含む既設の建物の改修工事中に、その建物の外部に設けられる仮設エレベーター装置に関する。
【０００２】
【従来の技術】
既設の建物の改修工事に併せてその建物の既設エレベーターを更新する場合がある。このときにエレベーターの工事期間中はエレベーターが使用できず、既設建物の居住者は止むなく階段を昇り降りすることになる。このような事態に対して居住者の不便を解消するため従来、次に述べるようにして仮設エレベーターが建物の外部に設けられていた。
【０００３】
すなわち、第一手段として、現場に仮設昇降路を立設し、次いで仮設エレベーターの各機器を仮設昇降路に据付ける工事が行われる。また第二手段として、仮設昇降路に工場において仮設エレベーターの各機器を組み付けて現場に搬入し、大形クレーンを使用して立設して既設建物に支持する工事が行われる。
【０００４】
【発明が解決しようとする課題】
上記のような従来の仮設エレベーター装置の設置手段において、第一手段の場合には現場での仮設エレベーターの組立に長時間を要し、また仮設エレベーターの分解、撤去にも長時間を要する。このため、仮設エレベーターの費用が嵩むという問題点があった。
【０００５】
また、第二手段の場合には完成した高さの仮設昇降路、すなわち運送時には一体であって長い仮設昇降路を工場から現場に搬送することになり、現場に至る間の道路等の状況によっては搬入できなくという問題点があった。また、搬入可能であったとしても高額の運送費が掛かって仮設エレベーターの費用が嵩むという問題点があった。
【０００６】
なお、第一手段、第二手段ともに仮設エレベーターを他の既設建物の改修工事現場で再使用する場合に、再使用する既設建物の停止箇所数、階間距離等の仕様に仮設エレベーターを対応させるために煩雑な改造作業を要する。また、再使用する既設建物の高さに合わせて、既設建物ごとに主索、移動ケーブル等を新調することになる。このため、これらの事由によっても仮設エレベーターの費用が嵩むことになる。
【０００７】
この発明は、かかる問題点を解消するためになされたものであり、容易に設置及び撤去でき、また他の既設建物の改修工事に容易に再使用できる仮設エレベーター装置を得ることを目的とする。
【０００８】
【課題を解決するための手段】
この発明に係る仮設エレベーター装置においては、既設建物に対応して設置される仮設エレベーターの要部を構成し上記建物の下階に対応する乗場装置、昇降体の案内レール、緩衝器装置及び張り車装置が装着された下部ユニットと、上記仮設エレベーターの要部を構成し上記建物の中間階に対応する乗場装置及び昇降体の案内レールが装着されて上記下部ユニットの上に載置されて積層され互いに直列に配置される複数の中間部ユニットと、上記仮設エレベーターの要部を構成し巻上機装置、調速機装置、制御盤、移動ケーブル繰り出し装置、上記建物の上階に対応する乗場装置及び昇降体の案内レールが装着されて最上部の上記中間部ユニットの上に載置される上部ユニットと、上記下部ユニット、中間部ユニット及び上部ユニットのいずれかに装備されて上記昇降体を構成するかご装置並びにつり合おもり装置と、上記かご装置に設けられた調速機ロープ繰り出し装置と、上記かご装置及びつり合おもり装置の一方に設けられた主索繰り出し装置と、上記下部ユニット及び上記中間部ユニットの上端角隅にそれぞれ装着されて上縁が水平方向の外側に広がる斜面を有し、上記下部ユニット、中間部ユニット及び上部ユニットを順次積層するときに、上側のユニットを下側のユニット上に案内する複数の連結子と、上記中間部ユニットの下端部のうち上記連結子よりも上側となる部位を、既設建物の各階床の下面部に締結する複数の支持腕とが設けられる。
【０００９】
また、この発明に係る仮設エレベーター装置においては、下部ユニット、中間部ユニット及び上部ユニットの三者の既設建物との対向面に配置されて乗場装置の出入口高さよりも高い高さの開口部を設けて、この開口部縁部に設けられて開口部に配置された乗場装置を上下方向に移動可能に装着する取付金具が設けられる。
【００１０】
また、この発明に係る仮設エレベーター装置においては、制御盤の制御ケーブルの先端に設けられた接続具と、移動ケーブル繰り出し装置に設けられて制御ケーブルの接続具に接続される接続具と、移動ケーブル繰り出し装置の移動ケーブルの繰り出し先端に設けられた接続具と、かご装置に設けられて移動ケーブルの繰り出し先端の接続具に接続される接続具とが設けられる。
【００１１】
【発明の実施の形態】
実施の形態１．
図１〜図２１は、この発明の実施の形態の一例を示す図で、図１は既設建物を縦断して示し仮設エレベーター装置を概念的に示す立面図、図２は図１における上部ユニットを一部縦断して示す左側面図、図３は図２のＡ−Ａ線断面図、図４は図３のＢ−Ｂ線断面図、図５は図３の底面図、図６は図３のつり合おもりの右側面図、図７は図１における既設建物の四階に対応した中間部ユニットの左側面図、図８は図７のＣ−Ｃ線断面図、図９は図８のＤ−Ｄ線断面図である。
【００１２】
また、図１０は図１における下部ユニットの左側面図、図１１は図１０のＥ−Ｅ線断面図、図１２は図１１のＦ−Ｆ線断面図、図１３は図２における移動ケーブル繰り出し装置の移動ケーブル巻き込み状態を示す立面図、図１４は図１３における移動ケーブル繰り出し状態を示す立面図、図１５は図３における主索繰り出し装置の主索巻き込み状態を示す立面図である。
【００１３】
また、図１６は図１５における主索繰り出し状態を示す立面図、図１７は図１６のつり合おもりの右側面図、図１８は図１１における調速機ロープ繰り出し装置の調速機ロープ巻き込み状態を示す立面図、図１９は図１８における調速機ロープ繰り出し状態を示す立面図、図２０は図１における仮設エレベーターの左側面図、図２１は図２０のＧ−Ｇ線断面図である。
【００１４】
図において、１は地面、２は地面１に建てられた既設建物、３は既設建物２の一階、すなわち下階、４は既設建物２の五階、すなわち上階、５は既設建物２の下階３と上階４の間に設けられた二階、三階、四階、すなわち複数の中間階、６は既設建物２のそれぞれの階床に設けられた廊下で、フェンス７が次に述べる渡し板８部を除いた部分に設けられている。８はそれぞれの廊下６面から水平に突設された渡し板、９は既設建物２のそれぞれの階床及び上階４の上部から水平に突設された支持腕である。
【００１５】
１０は横断面四角形の筒体によって構成された下部ユニットで、地面２に立設されて既設建物２の一階、すなわち下階３に対向して配置され支持腕９に支持され、上端の四偶に装着されて上縁が水平方向において外側に広がる斜面を有する連結子１１、連結子１１の下側に装着された吊り上げ用の掛合子１２、下端に装着された底板１３及び下階３との対向面に配置された開口部１４が設けられている。
【００１６】
１５は乗場装置で、三方枠、三方枠により形成された出入口を開閉する戸、渡し板８と対向して配置され戸の下端を案内する敷居を主要部材として構成され、開口部１４内側に配置される。１６は取付金具で、開口部１４の上下の端部における両側の縁部に設けられて一側が乗場装置１５の縁部に締結され、他側は下部ユニット１０に締結されて、締結位置を上下方向に移動したり、図示が省略してあるが間隔片を挿入したりすることによって乗場装置１５を開口部１４に対して上下方向に移動可能に装着する。
【００１７】
１７は後述する昇降体を案内する案内レールで、下部ユニット１０内に長手が上下方向に配置され、かご用、つり合おもり用がそれぞれ装備されている。１８は緩衝器装置で、底板１３に設けられて後述する昇降体、すなわちかご及びつり合おもりに対向してそれぞれ配置されている。
【００１８】
１９は張り車装置で、下部ユニット１０内の下部寄りに設けられて張り車、張り車の支持腕、張り車に連結された重りを主要部材として構成されている。２０は昇降体の一つを構成するかご装置で、下部ユニット１０内に配置されて案内レール１７に移動可能に係合されている。
【００１９】
２１はかご装置２０の上部に設けられた吊り上げ用の掛合子、２２はかご装置２０の下部に設けられた接続具で、かご装置２０の各機器からの配線（図示しない）が結線されている。２３は仮固定具で、かご装置２０の上側及び下側に配置されて一側が下部ユニット１０に、他側はかご装置２０に締結されている。２４は着床板で、下部ユニット１０内の乗場装置１５の上側に対応した位置に設けられている。
【００２０】
２５はがご装置２０の上部に設けられて着床板２４に対向して配置された着床装置、２６は調速機ロープ繰り出し装置で、がご装置２０の下部側面に設けられて巻胴に調速機ロープ２７が巻き込まれている。２８は非常止め装置（図示しない）の作動腕で、がご装置２０に設けられて調速機ロープ繰り出し装置２６に隣接して配置されている。
【００２１】
２９は横断面四角形の筒体によって構成された第一種中間部ユニットであり、既設建物２の二階及び三階、すなわち二つの中間階５に対向して配置されて支持腕９によって支持されている。そして、下端が下部ユニット１０の連結子１１に嵌合され下部ユニット１０の上に載置されて互いに直列に配置されている。また、前述の連結子１１、掛合子１２、それぞれの中間階５との対向面に配置された開口部１４、乗場装置１５、取付金具１６、案内レール１７、着床板２４が設けられている。
【００２２】
３０は横断面四角形の筒体からなる第二種中間部ユニットで、既設建物２の四階、すなわち一つの中間階５に対向して配置されて支持腕９によって支持されている。そして、下端が第一種中間部ユニット２９の連結子１１に嵌合され第一種中間部ユニット２９の上に載置されて互いに直列に配置されている。また、前述の連結子１１、掛合子１２、中間階５との対向面に配置された開口部１４、乗場装置１５、取付金具１６、案内レール１７、着床板２４が設けられている。
【００２３】
３１は横断面四角形の筒体によって構成された上部ユニットで、既設建物２の五階、すなわち上階４に対向して配置されて上下端部がそれぞれ支持腕９によって支持されている。そして、下端が第二種中間部ユニット３０の連結子１１に嵌合され第二種中間部ユニット３０の上に載置されて互いに直列に配置されている。また、前述の掛合子１２、上階４との対向面に配置された開口部１４、乗場装置１５、取付金具１６、案内レール１７、着床板２４が設けられている。
【００２４】
３２は機械室で、上部ユニット３１の上端に設けられた蓋板３３及び蓋板３３の下側に設けられた床板３４によって構成されている。３５は機械室３２に設けられた巻上機装置で、巻上機３６及び巻上機３６に近接した配置されたそらせ車３７によって構成されている。３８は床板３４に貫通して設けられて巻上機３６の綱車及びそらせ車３７位置のそれぞれに対応して設けられた主索孔である。
【００２５】
３９は機械室３２に設けられた調速機装置で、その位置に対応したロープ孔４０が床板３４を貫通して設けられている。４１は機械室３２に設けられた制御盤で、制御ケーブル４２が設けられて、その先端に接続具４３が設けられている。４４は機械室３２に設けられた移動ケーブル繰り出し装置で、巻胴に移動ケーブル４５が巻き込まれ、移動ケーブル４５の両端にはそれぞれ接続具４６が設けられている。なお、機械室３２の巻上機装置３５、調速機装置３９、制御盤４１の相互間に所要の電気配線が行われる。
【００２６】
４７は床板３４を貫通して設けられて移動ケーブル繰り出し装置４４位置に対応して配置された移動ケーブル孔である。４８は昇降体の一つを構成するつり合おもり装置で、上部ユニット３１内に配置されて案内レール１７に移動可能に係合され、上部には吊り上げ用の掛合子４９が設けられている。５０は仮固定具で、つり合おもり装置４８の上側及び下側に配置されて一側が上部ユニット３１に、他側はつり合おもり装置４８に締結されている。
【００２７】
５１は主索繰り出し装置で、つり合おもり装置４８の上面に設けられて巻胴に主索５２が巻き込まれている。５３は仮設エレベーターで、下部ユニット１０の上に、第一種中間部ユニット２９、第二種中間部ユニット３０、上部ユニット３１が順次載置されて積層され互いに直列に配置されて構成されている。
【００２８】
５４は移動ケーブル４５の押さえ金具で、仮設エレベーター５３の上部ユニット３１等の内面に互いに離れて設けられる。５５はロープクリップで、かご装置２０、つり合おもり装置４８において、繰り出されて巻回された主索５２相互が締結される。５６は把持金具で、調速機ロープ繰り出し装置２６から繰り出された調速機ロープ２７を非常止め装置の作動腕２８に把持する。
【００２９】
上記のように構成された仮設エレベーター装置は、次に述べるように製作されて既設建物２に対向して据付けられる。すなわち、下部ユニット１０、第一種中間部ユニット２９、第二種中間部ユニット３０、上部ユニット３１の各ユニットがそれぞれ工場において次に述べるように製作される。なお、各ユニットは工場から既設建物２の改修工事現場への輸送の都合上、５メートル程度以下の高さに製作される。
【００３０】
すなわち、工場において各ユニットの開口部１４に対して乗場装置１５が、既設建物２の各階床の上下方向位置に対応した位置に、取付金具１６によって調整されて装着される。そして、各ユニットが吊り上げ用の掛合子１２を介して吊り上げられ、トラックの荷台に横倒しに積載されて既設建物２の改修工事現場へ搬入される。また、改修工事現場では仮設エレベーター５３の設置位置に基礎工事が行われる。
【００３１】
次いで、下部ユニット１０がクレーンによって吊り上げられて、基礎工事の上に、すなわち既設建物２に対する所定位置に据付けられる。このときに、乗場装置１５の敷居面が下階３の渡し板８に一致して配置され、支持腕９によって下部ユニット１０が既設建物２に締結される。そして、第一種中間部ユニット２９がクレーンによって吊り上げられて下部ユニット１０の連結子１１の案内機能を介して下部ユニット１０の上に載置される。これによって、下部ユニット１０及び第一種中間部ユニット２９の案内レール１７が上下方向に直列に配置される。
【００３２】
また、第一種中間部ユニット２９の乗場装置１５の敷居面が対応した既設建物２の階床のそれぞれの渡し板８に一致して配置され、支持腕９によって第一種中間部ユニット２９が既設建物２に締結される。以下、同様な作業が行われて第一種中間部ユニット２９の上に第二種中間部ユニット３０が、第二種中間部ユニット３０の上に上部ユニット３１が順次載置されて積層されて図１に示す状態となる。
【００３３】
また、次に述べるようにして移動ケーブル４５が吊設される。すなわち、かご装置２０、移動ケーブル繰り出し装置４４等が図１３に示すように配置された状態で、機械室３２の移動ケーブル繰り出し装置４４から移動ケーブル４５を繰り出し、床板３４の移動ケーブル孔４７を経て上部ユニット３１等の各ユニット内に吊下される。そして、移動ケーブル４５の吊下先端の接続具４６を、かご装置２０の接続具２２に接続する。
【００３４】
そして、仮設エレベーター５３の昇降工程の１／２位置よりも上方の移動ケーブル４５が、押さえ金具５４によって適宜な間隔で上部ユニット３１等の内面に保持される。なお、この状態で移動ケーブル繰り出し装置４４の巻胴の回転が制動手段（図示しない）によって阻止される。そして、移動ケーブル４５の機械室３２側端部の接続具４６に、制御盤４１に設けられた制御ケーブル４２の接続具４３が接続される。これにより制御盤４１が移動ケーブル４５を介してかご装置２０に接続されて図１４に示す状態となる。
【００３５】
また、次に述べるようにして主索５２が吊設される。すなわち、かご装置２０、つり合おもり装置４８等が図１５に示すように配置された状態で、つり合おもり装置４８の主索繰り出し装置５１の主索５２を繰り出して、つり合おもり装置４８の掛合子４９に巻掛けて、床板３４の主索孔３８を経て機械室３２に引き込む。
【００３６】
そして、巻上機装置３５、すなわち巻上機３６の綱車及びそらせ車３７に巻掛けて上部ユニット３１等に吊下し、かご装置２０の吊り上げ用の掛合子２１に巻掛ける。この状態で、ロープクリップ５５により掛合子２１に巻回された主索５２相互を締結し、主索５２をかご装置２０に連結する。
【００３７】
次いで、つり合おもり装置４８側において掛合子４９に巻回された主索５２相互をロープクリップ５５により締結し、主索５２をつり合おもり装置４８に連結する。これによって、図１６に示す状態となり、この状態で主索繰り出し装置５１の巻胴の回転が制動手段（図示しない）によって阻止される。なお、主索５２は他の既設建物の改修工事現場で再使用される。このため、ロープクリップ５５は、主索５２の挟圧時に主索５２に有害な変形を生じないロープ挟圧専用の構造のものが使用される。
【００３８】
また、次に述べるようにして調速機ロープ２７が吊設される。すなわち、かご装置２０等が図１８に示すように配置された状態で、がご装置２０に設けられた調速機ロープ繰り出し装置２６から調速機ロープ２７を繰り出す。そして、張り車装置１９の張り車に巻掛けて引き上げ、機械室３２の床板３４に設けられたロープ孔４０を経て調速機装置３９の綱車に巻掛ける。
【００３９】
次いで、床板３４のロープ孔４０を経て調速機ロープ２７を引き下げて先端を非常止め装置の作動腕２８位置に配置する。そして、調速機ロープ２７の引き下げ先端側が作動腕２８の上側に、調速機ロープ繰り出し装置２６側が作動腕２８の下側に、それぞれ把持金具５６によって把持される。
【００４０】
これによって、図１９に示す状態となり、この状態で調速機ロープ繰り出し装置２６の巻胴の回転が制動手段（図示しない）によって阻止される。なお、調速機ロープ２７は他の既設建物の改修工事現場で再使用される。このため、把持金具５６は調速機ロープ２７の挟圧時に、有害な変形を生じないロープ把持専用の構造のものが使用される。
【００４１】
そして、がご装置２０の仮固定具２３、つり合おもり装置４８の仮固定具５０が取り外される。また、機械室３２の巻上機装置３５、調速機装置３９、制御盤４１が外部電源に接続される。また、下部ユニット１０等に設けられたそれぞれの乗場装置１５には、図示が省略してあるがエレベーターの乗場釦、制御盤４１に至る電線が工場において設けられている。そして、下部ユニット１０等の各ユニットと制御盤４１との間の電線が接続具によって接続される。
【００４２】
以上説明した作業によって、既設建物２に対向して据付けられる仮設エレベーター５３が図２０、図２１に示すように完成し、既設建物２の居住者の昇降に供用されて既設エレベーターの更新を含む既設建物２の改修工事中の不便が解消される。また、既設建物２の改修工事が終了すると、前述の仮設エレベーター５３の据付作業とは逆の手順によって仮設エレベーター５３が分解されて撤去される。そして、仮設エレベーター５３が他の既設建物の改修工事現場での再使用に供される。
【００４３】
上記のように構成されて製作され既設建物２に対向して据付けられる仮設エレベーター５３において、要するに次に述べる工程の作業が行われる。すなわち、既設建物２の下階３に対応する乗場装置１５、がご装置２０及びつり合おもり装置４８すなわち昇降体の案内レール１７、緩衝器装置１８並びに張り車装置１９が装着された下部ユニット１０が工場において製作される。
【００４４】
また、既設建物２の二つの中間階４に対応する乗場装置１５及び昇降体の案内レール１７が装着されて下部ユニット１０の上に載置される第一種中間部ユニット２９が工場において製作される。また、既設建物２の中間階４に対応する乗場装置１５及び昇降体の案内レール１７が装着されて第一種中間部ユニット２９の上に載置される第二種中間部ユニット３０が工場において製作される。
【００４５】
さらに、巻上機装置３５、調速機装置３９、制御盤４１、移動ケーブル繰り出し装置４４、既設建物２の上階４に対応する乗場装置１５及び昇降体の案内レール１７が装着され、また電気配線が行われて、最上部の第二種中間部ユニット３０の上に載置される上部ユニット３１が工場において製作される。
【００４６】
また、仮設エレベーター５３の昇降体を構成するかご装置２０及びつり合おもり装置４８が、下部ユニット１０、第一種中間部ユニット２９、第二種中間部ユニット３０及び上部ユニット３１のいずれかに工場において装備される。また、調速機ロープ繰り出し装置２６がかご装置２０に工場において装備される。さらに、主索繰り出し装置５１がかご装置２０及びつり合おもり装置４８の一方に工場において装備される。
【００４７】
そして、下部ユニット１０等の各ユニットが、既設建物２の改修工事現場へ搬入されて、先ず下部ユニット１０が所定の設置位置に据付けられる。次いで、第一種中間部ユニット２９、第二種中間部ユニット３０、上部ユニット３１が順次下部ユニット１０の上に載置されて積層され互いに直列に組立てられる。
【００４８】
また、移動ケーブル繰り出し装置４４から移動ケーブル４５を繰り出し、主索繰り出し装置５１の主索５２を繰り出し、調速機ロープ繰り出し装置２６から調速機ロープ２７を繰り出してそれぞれが吊設される。また、がご装置２０及びつり合おもり装置４８の仮固定が解除がされる。
【００４９】
また、巻上機装置３５、調速機装置３９、制御盤４１が外部電源に接続される。そして、下部ユニット１０等に設けられたそれぞれの乗場装置１５にエレベーターの乗場釦、制御盤４１に至る電線が設けられていて、下部ユニット１０等の各ユニットにおいて制御盤４１との間の電線が接続具によって接続される。これによって、仮設エレベーター５３の設置工事が終了し、既設建物２の居住者が使用できるようになる。
【００５０】
このような既設建物２に対向して据付けられる仮設エレベーター５３においては、下部ユニット１０等の各ユニットを容易に改修工事現場に搬入することができる。また、各ユニットを連結して移動ケーブル繰り出し装置４４から移動ケーブル４５を繰り出して吊設すること等、主索５２、調速機ロープ２７を容易に吊設できる。
【００５１】
また、各機器間の電気配線の接続が容易にでき、さらに既設建物２の改修工事の終了後に、下部ユニット１０等の各ユニットを容易に分解して撤去することができる。そして、移動ケーブル４５、主索５２、調速機ロープ２７等を新調することなく、仮設エレベーター５３を他の既設建物の改修工事現場で再使用することができる。
【００５２】
したがって、既設建物２に対する仮設エレベーター５３の停止箇所数、階間距離等の仕様に容易に対応でき、また短時間の作業によって仮設エレベーター５３を既設建物２に対向して設置できる。さらに、用済み後に容易に撤去できて効率よく他の既設建物２の改修工事現場で再使用することができる。したがって、既設建物２の改修工事における仮設エレベーター５３の費用を節減することができる。
【００５３】
なお、下部ユニット１０、第一種中間部ユニット２９、第二種中間部ユニット３０及び上部ユニット３１それぞれの開口部１４が設置された側面の他の側面に、扉付きの作業用出入口を設ける。そして、この出入口を介して内部機器の取付、調整、保守等の作業を行うことにより、これらの作業能率を向上することができる。
【００５４】
【発明の効果】
この発明は以上説明したように、既設建物に対応して設置される仮設エレベーターの要部を構成し既設建物の下階に対応する乗場装置、昇降体の案内レール、緩衝器装置及び張り車装置が装着された下部ユニットと、仮設エレベーターの要部を構成し既設建物の中間階に対応する乗場装置及び昇降体の案内レールが装着されて下部ユニットの上に載置されて積層され互いに直列に配置される複数の中間部ユニットと、仮設エレベーターの要部を構成し巻上機装置、調速機装置、制御盤、移動ケーブル繰り出し装置、既設建物の上階に対応する乗場装置及び昇降体の案内レールが装着されて最上部の中間部ユニットの上に載置される上部ユニットと、下部ユニット、中間部ユニット及び上部ユニットのいずれかに装備されて仮設エレベーターの昇降体を構成するかご装置並びにつり合おもり装置と、かご装置に設けられた調速機ロープ繰り出し装置と、かご装置及びつり合おもり装置の一方に装備された主索繰り出し装置とを設けたものである。
【００５５】
そして、既設建物の下階に対応する乗場装置、昇降体の案内レール、緩衝器装置及び張り車装置が装着された下部ユニットと、既設建物の中間階に対応する乗場装置及び昇降体の案内レールが装着されて下部ユニットの上に載置される中間部ユニットと、巻上機装置、調速機装置、制御盤、移動ケーブル繰り出し装置、既設建物の上階に対応する乗場装置及び昇降体の案内レールが装着されて最上部の第二種中間部ユニットの上に載置される上部ユニットとが工場において製作される。また、昇降体を構成するかご装置及びつり合おもり装置が、下部ユニット、中間部ユニット及び上部ユニットのいずれかに工場において装備される。また、調速機ロープ繰り出し装置がかご装置に工場において装備される。さらに、主索繰り出し装置がかご装置及びつり合おもり装置の一方に工場において装備される。
【００５６】
このような下部ユニット等の各ユニットが既設建物の改修工事現場へ搬入されて、各ユニットが所定の設置位置に順次積層され互いに直列に組立てられる。また、移動ケーブル繰り出し装置から移動ケーブルが、主索繰り出し装置の主索が、調速機ロープ繰り出し装置から調速機ロープが繰り出されて吊設される。また、制御盤等の電気配線が接続されて外部電源に接続され、またがご装置及びつり合おもり装置の仮固定が解除がされる。これにより、仮設エレベーター装置の設置工事が終了し、既設建物の居住者が使用することができる。
【００５７】
そして、仮設エレベーター装置を簡易な作業によって容易に設置でき、また既設建物の改修工事の終了後に容易に分解して撤去することができる。また、移動ケーブル、主索、調速機ロープ等を新調することもなく、仮設エレベーター装置を他の既設建物の改修工事現場で再使用することができる。さらに、既設建物に対する仮設エレベーター装置の停止箇所数、階間距離等の仕様に容易に対応できる。このため、既設建物の改修工事における仮設エレベーター装置の費用を節減する効果がある。
【００５８】
また、この発明は以上説明したように、下部ユニット、中間部ユニット及び上部ユニットの三者の既設建物との対向面に配置されて乗場装置の出入口高さよりも高い高さの開口部を設けて、この開口部縁部に設けられて開口部に配置された乗場装置を上下方向に移動可能に装着する取付金具を設けたものである。
【００５９】
これによって、下部ユニット、中間部ユニット及び上部ユニットの三者に設けられた乗場装置の高さ方向の位置を、容易に既設建物の階床位置に合わせることができる。したがって、仮設エレベーター装置を簡易な作業によって容易に設置できる。また、仮設エレベーターを他の既設建物の改修工事に使用するときに、乗場装置の高さ方向の位置を、再使用する既設建物の階床位置に容易に合わせることができる。したがって、既設建物の改修工事における仮設エレベーター装置の費用を節減する効果がある。
【００６０】
また、この発明は以上説明したように、制御盤の制御ケーブルの先端に設けられた接続具と、移動ケーブル繰り出し装置に設けられて制御ケーブルの接続具に接続される接続具と、移動ケーブル繰り出し装置の移動ケーブルの繰り出し先端に設けられた接続具と、かご装置に設けられて移動ケーブルの繰り出し先端の接続具に接続される接続具とを設けたものである。
【００６１】
これによって、既設建物の改修工事現場へ搬入された下部ユニット等の各ユニットが、所定の設置位置に組立てられた段階における制御盤等の電気配線の接続作業が容易にできる。また、既設建物の改修工事の終了後の撤去作業も容易にでき、既設建物の改修工事における仮設エレベーター装置の費用を節減する効果がある。
【図面の簡単な説明】
【図１】  この発明の実施の形態１を示す図で、既設建物を縦断して示し仮設エレベーター装置を概念的に示す立面図。
【図２】  図１における上部ユニットを一部縦断して示す左側面図。
【図３】  図２のＡ−Ａ線断面図。
【図４】  図３のＢ−Ｂ線断面図。
【図５】  図３の底面図。
【図６】  図３のつり合おもりの右側面図。
【図７】  図１における既設建物の四階に対応した中間部ユニットの左側面図。
【図８】  図７のＣ−Ｃ線断面図。
【図９】  図８のＤ−Ｄ線断面図。
【図１０】  図１における下部ユニットの左側面図。
【図１１】  図１０のＥ−Ｅ線断面図。
【図１２】  図１１のＦ−Ｆ線断面図。
【図１３】  図２における移動ケーブル繰り出し装置の移動ケーブル巻き込み状態を示す立面図。
【図１４】  図１３における移動ケーブル繰り出し状態を示す立面図。
【図１５】  図３における主索繰り出し装置の主索巻き込み状態を示す立面図。
【図１６】  図１５における主索繰り出し状態を示す立面図。
【図１７】  図１６のつり合おもりの右側面図。
【図１８】  図１１における調速機ロープ繰り出し装置の調速機ロープ巻き込み状態を示す立面図。
【図１９】  図１８における調速機ロープ繰り出し状態を示す立面図。
【図２０】  図１における仮設エレベーターの右側面図。
【図２１】  図２０のＧ−Ｇ線断面図。
【符号の説明】
２  既設建物、３  下階、４  上階、５  中間階、１０  下部ユニット、１４開口部、１５  乗場装置、１６  取付金具、１７  案内レール、１８  緩衝器装置、１９  張り車装置、２０  かご装置（昇降体）、２２  接続具、２６  調速機ロープ繰り出し装置、２９  第一種中間部ユニット（中間部ユニット）、３０  第二種中間部ユニット（中間部ユニット）、３１  上部ユニット、３５  巻上機装置、３９  調速機装置、４１  制御盤、４２  制御ケーブル、４３  接続具、４４  移動ケーブル繰り出し装置、４５  移動ケーブル、４６  接続具、４８  つり合おもり装置（昇降体）、５１  主索繰り出し装置、５３  仮設エレベーター。
【図１】
0004454744.tif 000002
【図２】
0004454744.tif 000003
【図３】
0004454744.tif 000004
【図４】
0004454744.tif 000005
【図５】
0004454744.tif 000006
【図６】
0004454744.tif 000007
【図７】
0004454744.tif 000008
【図８】
0004454744.tif 000009
【図９】
0004454744.tif 000010
【図１０】
0004454744.tif 000011
【図１１】
0004454744.tif 000012
【図１２】
0004454744.tif 000013
【図１３】
0004454744.tif 000014
【図１４】
0004454744.tif 000015
【図１５】
0004454744.tif 000016
【図１６】
0004454744.tif 000017
【図１７】
0004454744.tif 000018
【図１８】
0004454744.tif 000019
【図１９】
0004454744.tif 000020
【図２０】
0004454744.tif 000021
【図２１】
0004454744.tif 000022